(57)【要約】【課題】放送の音声モードを検出する音声モード検出装置を提供する。【解決手段】音声モード検出器２００は、音声モードが不明な二系統の音声信号が入力される入力部２０１と、二系統の音声信号が無音であることを検出する無音検出部２０２と、二系統の音声信号の相互相関係数を算出する演算部２０３と、相互相関係数に基づいて、ステレオ、二音声の特徴を検出する特徴抽出部２０４と、ステレオの特徴の継続時間を計数するステレオ特徴累積部２０６と、二音声の特徴の継続時間を計数する二音声特徴累積部２０７と、無音検出部２０２が無音を検出するとモノラルと判定し、無音検出部２０２が無音を検出してから、ステレオ特徴累積部２０６が計数したステレオの特徴の継続時間および二音声特徴抽出部２０７が計数した二音声の特徴の継続時間に基づいて、ステレオ、二音声のいずれかを判定する比較判定部２０８と、を備える。【選択図】図２
2009207039.tif 000002
【特許請求の範囲】
【請求項１】
音声モードが不明な二系統の音声信号が入力される入力部と、
前記入力部に入力された二系統の音声信号が無音であることを検出する無音検出部と、
前記入力部に入力された二系統の音声信号の相互の相関の度合い示す相互相関係数を算出する演算部と、
前記演算部で算出された相互相関係数に基づいて、ステレオ、二音声の特徴を検出する特徴抽出部と、
前記特徴抽出部が検出したステレオの特徴の継続時間を計数するステレオ特徴累積部と、
前記特徴抽出部が検出した二音声の特徴の継続時間を計数する二音声特徴累積部と、
前記無音検出部が無音を検出するとモノラルと判定し、前記無音検出部が無音を検出してから、前記ステレオ特徴累積部が計数したステレオの特徴の継続時間および前記二音声特徴抽出部が計数した二音声の特徴の継続時間に基づいて、ステレオ、二音声のいずれかを判定する比較判定部と、
を備えることを特徴とする音声モード検出装置。
【請求項２】
前記無音検出部は、二系統の音声信号とも第１のしきい値以下のレベルである時間が一定値以上である場合に、無音を検出することを特徴とする請求項１に記載の音声モード検出装置。
【請求項３】
前記演算部は、第１の音声信号のサンプル値と第２の音声信号のサンプル値の積を第１の音声信号のサンプル値の絶対値と第２の音声信号のサンプル値の絶対値で割った値を時間軸方向に平均した値として、相互相関係数を算出することを特徴とする請求項１または２に記載の音声モード検出装置。
【請求項４】
前記演算部は、前記入力部に入力された二系統の音声信号の音量を算出し、
前記特徴抽出部は、前記相互相関係数が第２のしきい値より小さい時にステレオの特徴を検出し、１と前記相互相関係数の絶対値の差のべき乗と入力された二系統の音声の音量の積が第３のしきい値より大きい時に二音声の特徴を検出することを特徴とする請求項３に記載の音声モード検出装置。
【請求項５】
前記ステレオ特徴累積部は、ステレオの度数をステレオの特徴が検出されたとき増加させ二音声の特徴が検出されたとき減少させ、
前記二音声特徴累積部は、二音声の度数を二音声の特徴が検出されたとき増加させステレオの特徴が検出されたとき減少させる
ことを特徴とする請求項１ないし４のうちいずれか１項に記載の音声モード検出装置。
【請求項６】
前記比較判定部は、前記ステレオ特徴累積部のステレオの度数と前記二音声特徴累積部の二音声の度数をしきい値と比較して、二音声の度数が大きければ二音声と判定し、ステレオの度数が大きければステレオと判定するとともに、ステレオの判定より二音声の判定を優先することを特徴とする請求項５に記載の音声モード検出装置。
【請求項７】
前記演算部は、前記入力部に入力された二系統の音声信号の周波数スペクトル分布を算出し、
前記特徴抽出部は、第１の音声信号と第２の音声信号の周波数スペクトルの差分が第４のしきい値以上異なる場合に二音声とし、第４のしきい値未満であるときに二音声としない
ことを特徴とする請求項４に記載の音声モード検出装置。
【請求項８】
第１の頻度以上でステレオの特徴を検出した場合はモノラルとせず、第２の頻度以上で二音声の特徴を検出した場合はステレオとしないことを特徴とする請求項１ないし７のうちいずれか１項に記載の音声モード検出装置。
【発明の詳細な説明】
【技術分野】
【０００１】
本発明は、放送の音声モード（モノラル、ステレオ、二音声の別）を検出する音声モード検出装置に関する。
【背景技術】
【０００２】
特許文献１に記載されたＣＡＴＶシステムのヘッドエンド装置は、デジタル放送をアナログ放送信号に変換する装置であって、民生用のデジタルチューナーの光デジタル出力信号に重畳された音声モードのステータス情報を取得して、取得した音声モードを変調器に入力することにより、デジタル放送と同じ音声モードのアナログ放送信号を生成できるようにしている。
【０００３】
【特許文献１】特願２００３−７２１４０号公報「ヘッドエンド装置及びＣＡＴＶシステム」
【発明の開示】
【発明が解決しようとする課題】
【０００４】
しかし、実際には民生用の光デジタル出力信号には音声モードのステータス情報が重畳されないことが一般的であり、業務用のデジタルチューナーを使用せずに、民生用デジタルチューナーを利用して廉価にヘッドエンド装置を構成したい場合には、音声モードを取得できないという問題があった。
【０００５】
すなわち、市販受信機においては、受信した放送の音声モードは自己の動作に反映するのみで、情報として外部に出力する仕組みがなかったため、受信部から再変調部を制御することができなかったのである。
【０００６】
図１に、このような従来技術の再送信装置を示す。１０１はデジタル放送の放送波を受信し映像信号と音声信号を出力する受信部（市販の民生用のチューナー）であり、１０２は受信部１０１からの映像信号と音声信号をアナログ放送信号に変調して再送信する再変調部である。放送波を受信した受信部１０１は映像信号と音声信号を再変調部１０２に送るが、受信部１０１は音声モードの情報を外部に出力する仕組みがないため、再変調部１０２は音声モードが取得できず、音声モードに対応した再変調を行うことができなかった。
【０００７】
市販の民生用チューナーを音声モードの情報を取り出せるように改造すればこの問題は解決するが、それには新しいＬＳＩを起こす必要があり、業務用チューナーを開発するのとほぼ等価になる。
【０００８】
したがって、ステレオや二音声番組は、従来はケーブル専用の受信機（高価）を用いなければそのまま再送信できなかった。
【０００９】
しかし、廉価な市販受信機を再送信装置の受信部に用いることにより、設備のコストダウンを図りたい。
【００１０】
そこで、共同受信施設の再送信において、変調方式を変換（例えばデジタルからアナログ）して再送信する際に、受信した放送の音声モード（モノラル、ステレオ、二音声の別）を音声モード検出装置で検出し、再送信する信号の変調に反映する。
【００１１】
本発明の目的は、例えばこのような用途に用いるのに好適な放送の音声モード（モノラル、ステレオ、二音声の別）を検出する音声モード検出装置を提供することにある。
【課題を解決するための手段】
【００１２】
本明細書において開示される発明のうち、代表的なものの概要を簡単に説明すれば、以下のとおりである。
【００１３】
第１の発明は、音声モードが不明な二系統の音声信号が入力される入力部と、前記入力部に入力された二系統の音声信号が無音であることを検出する無音検出部と、前記入力部に入力された二系統の音声信号の相互の相関の度合い示す相互相関係数を算出する演算部と、前記演算部で算出された相互相関係数に基づいて、ステレオ、二音声の特徴を検出する特徴抽出部と、前記特徴抽出部が検出したステレオの特徴の継続時間を計数するステレオ特徴累積部と、前記特徴抽出部が検出した二音声の特徴の継続時間を計数する二音声特徴累積部と、前記無音検出部が無音を検出するとモノラルと判定し、前記無音検出部が無音を検出してから、前記ステレオ特徴累積部が計数したステレオの特徴の継続時間および前記二音声特徴抽出部が計数した二音声の特徴の継続時間に基づいて、ステレオ、二音声のいずれかを判定する比較判定部と、を備えることを特徴とする音声モード検出装置である。
【００１４】
第２の発明は、第１の発明において、前記無音検出部は、二系統の音声信号とも第１のしきい値以下のレベルである場合に、無音を検出することを特徴とする。
【００１５】
第３の発明は、第１〜第２の発明において、前記演算部は、第１の音声信号のサンプル値と第２の音声信号のサンプル値の積を第１の音声信号のサンプル値の絶対値と第２の音声信号のサンプル値の絶対値で割った値を時間軸方向に平均化した値として、相互相関係数を算出することを特徴とする。
【００１６】
第４の発明は、第３の発明において、前記演算部は、前記入力部に入力された二系統の音声信号の音量を算出し、前記特徴抽出部は、前記相互相関係数が第２のしきい値より小さい時にステレオの特徴を検出し、１と前記相互相関係数の絶対値の差のべき乗と入力された二系統の音声の音量の積が第３のしきい値より大きい時に二音声の特徴を検出することを特徴とする。
【００１７】
第５の発明は、第１〜第４の発明において、前記ステレオ特徴累積部は、ステレオの度数をステレオの特徴が検出されたとき増加させ二音声の特徴が検出されたとき減少させ、前記二音声特徴累積部は、二音声の度数を二音声の特徴が検出されたとき増加させステレオの特徴が検出されたとき減少させることを特徴とする。
【００１８】
第６の発明は、第５の発明において、前記比較判定部は、前記ステレオ特徴累積部のステレオの度数と前記二音声特徴累積部の二音声の度数をしきい値と比較して、二音声の度数が大きければ二音声と判定し、ステレオの度数が大きければステレオと判定するとともに、ステレオの判定より二音声の判定を優先することを特徴とする。
【００１９】
第７の発明は、第４の発明において、前記演算部は、前記入力部に入力された二系統の音声信号の周波数スペクトル分布を算出し、前記特徴抽出部は、第１の音声信号と第２の音声信号の周波数スペクトルの差分が第４のしきい値以上異なる場合に二音声とし、第４のしきい値未満である場合に二音声としないことを特徴とする。
【００２０】
第８の発明は、第１〜第７の発明において、第１の頻度以上でステレオの特徴を検出した場合はモノラルとせず、第２の頻度以上で二音声の特徴を検出した場合はステレオとしないことを特徴とする。
【発明の効果】
【００２１】
本発明により、放送の音声モード（モノラル、ステレオ、二音声の別）を検出することができる。
【発明を実施するための最良の形態】
【００２２】
以下、本発明の実施例を図面を用いて詳細に説明する。
本発明の実施例の音声モード検出装置は、共同受信設備の再送信に使用するのに好適な音声モード検出装置であり、図１に示すような再送信装置の受信部１０１から出力する音声信号の特徴から、音声モードを検出する。音声モード検出装置が検出した音声モードは再変調部１０２に通知され、再変調部１０２は音声モードに対応した再変調を行うことができる。
【００２３】
図２に本発明の実施例の音声モード検出装置の構成を示す。２００は音声モード検出装置である。音声モード検出装置２００は、ステレオまたは二音声の特徴を、音声波形の相互相関係数、音量、周波数スペクトル分布から検出し、継続時間や番組開始タイミングも加味して、音声モードを判定する。ステレオと二音声の判別がつきにくいグレーゾーンが存在するため、瞬時の判定は不可能であるが、時間を考慮した処理により解決する。ステレオ、二音声いずれの特徴もない場合はモノラルとする。とくにステレオには一時的にモノラルの特徴が現れる場合が多いので、モノラルの特徴からモノラルと積極的に判定しないところが本音声モード検出装置の特徴である。その代わりに無音を番組の切れ目と判断しているので、モノラルの判定もできる。
【００２４】
音声モード検出装置２００は、音声モードが不明な二系統の音声信号が入力される入力部２０１と、入力部２０１に入力された二系統の音声信号が無音であることを検出する無音検出部２０２と、入力部２０１に入力された二系統の音声信号の相互の相関の度合いを示す相互相関係数、並びに、二系統の音声信号の音量及び周波数スペクトル分布を算出する演算部２０３と、演算部２０３で算出された相互相関係数、音量及び周波数スペクトル分布に基づいて、ステレオ、二音声の特徴を検出する特徴抽出部２０４と、特徴抽出部２０４が検出したステレオの特徴の継続時間を計数するステレオ特徴累積部２０６と、特徴抽出部２０４が検出した二音声の特徴の継続時間を計数する二音声特徴累積部２０７と、無音検出部２０２が無音を検出するとモノラルと判定し、無音検出部２０２が無音を検出してから、ステレオ特徴累積部２０６が計数したステレオの特徴の継続時間および二音声特徴抽出部２０７が計数した二音声の特徴の継続時間に基づいて、ステレオ、二音声のいずれかを判定する比較判定部２０８とを備える。２０５は特徴抽出部２０４が使用するしきい値である。
【００２５】
以下、音声モード検出装置２００の各部分についてそれぞれ説明する。
入力部２０１には、二系統の音声信号（左または主音声、右または副音声）が入力される。アナログ入力の場合はＡＤ変換、デジタル入力の場合は必要に応じサンプリング周波数や量子ビット数の変換を含む。
無音検出部２０２は、二系統ともしきい値以下のレベルとなる継続時間を計数し、時間がしきい値以上であるときに無音検出とする。
演算部２０３は、入力した信号から相互相関係数、音量及び周波数スペクトル分布を算出する。
特徴抽出部２０４は、演算部２０３が算出した相互相関係数、音量及び周波数スペクトル分布に基づく評価値の値をしきい値２０５と比較し、ステレオ、二音声の特徴の有無を検出する。
ステレオ特徴累積部２０６は、特徴抽出部２０４が検出したステレオの特徴の継続時間を計数し記憶する。
二音声特徴累積部２０７は、特徴抽出部２０４が検出した二音声の特徴の継続時間を計数し記憶する。
比較判定部２０８は、ステレオ、二音声の特徴の継続時間および、無音を番組の切り替わりとみなした番組開始からの時間を加味して音声モードを判定する。
【００２６】
上記のように演算部２０３は相互相関係数等を算出するが、演算部２０３が算出する本実施例における相互相関係数等の評価値は次のとおりである。
【００２７】
【数１】
2009207039.tif 000003
【００２８】
上記の本実施例の相互相関係数Ｃは、言葉を使って表現すれば、第１の音声信号のサンプル値と第２の音声信号のサンプル値の積を第１の音声信号のサンプル値の絶対値と第２の音声信号のサンプル値の絶対値で割った値を時間軸方向に平均したものである。本実施例では、ｎ＝１０２４であるが、この値に限定されず、音声の標本化周波数と相互相関係数Ｃの更新周期を勘案して、処理に遅延をきたさない適当な値とすればよい。
【００２９】
二音声の検出には、Ｃが０近辺であること以外に、一定以上の音量があること、周波数スペクトル分布が異なっていることを検出する必要があり、演算部２０３において、以下の評価値ＥとＦを予め算出する。
【００３０】
相互相関係数と音量の二つの要素を一つの数値で表す評価値Ｅ（音量重み付け逆相関係数）を次式により算出する。
【００３１】
【数２】
2009207039.tif 000004
【００３２】
Ｅは、Ｃの絶対値が小さいほど、音量が大きいほど大きな値をとる。ＥがＣの絶対値と１との差の１６乗に比例する理由は、Ｃが０近辺になると急激にＥの値が増加して、Ｃが０近傍であることを適度に強調して検出できるためである。なお、本実施例では１６乗としているが、この数値に限定されず、適切なしきい値とのバランスの元で変更可能である。
【００３３】
第１、第２の音声信号の周波数スペクトル分布の差を評価するため、第１の音声信号及び第２の音声信号の高速フーリエ変換Ｆ（Ｌ）、Ｆ（Ｒ）をそれぞれ算出する。さらに、周波数ごとにＦ（Ｌ）とＦ（Ｒ）の差を積算したものを評価値Ｆ（スペクトル差分）とする。
【００３４】
特徴抽出部２０４では、演算部２０３が算出した相互相関係数Ｃ及び評価値Ｅ、Ｆとしきい値２０５（Ａ、Ｂ、Ｕ）を比較して、次のように検出する。
Ａ≦Ｃの場合はモノラルを検出する。
Ａ＞Ｃの場合でなおかつ、Ｅ＞ＢかつＦ＞Ｕの場合に二音声を検出する。
Ａ＞Ｃの場合でなおかつ、上記に当てはまらない場合にはステレオを検出する。
ここで、Ａ、Ｂ、Ｕはしきい値であり、本実施例ではＡ＝０．９９９、Ｂ＝０．０３、Ｕ＝０．０５である。ただし、しきい値Ａ、Ｂ、Ｕはこの数値に限定されず、特徴抽出部２０４は、相互相関係数がしきい値Ａより小さい時は、評価値Ｅがしきい値Ｂを超え、なおかつ評価値ＦがＵを超えた時に二音声の特徴を検出し、ＥとＦのいずれかが条件を満足しない時にステレオの特徴を検出すればよい。
【００３５】
ステレオ特徴累積部２０６、二音声特徴累積部２０７では、ステレオ、二音声の度数をそれぞれＳＴ、ＤＵＡＬとし、一定の周期Ｔごとに、検出した結果に応じて加算・減算する。Ｔ≒２０ｍｓｅｃであり、初期値はいずれも０である。特徴抽出部２０４がステレオを検出した時、ステレオ特徴累積部２０６はＳＴ→ＳＴ＋１（加算）とし、二音声特徴累積部２０７はＤＵＡＬ→ＤＵＡＬ−０．０１×ＤＵＡＬ（１％減算）とする。特徴抽出部２０４が二音声を検出した時、ステレオ特徴累積部２０６はＳＴ→ＳＴ−０．０１×ＳＴ（１％減算）とし、二音声特徴累積部２０７はＤＵＡＬ→ＤＵＡＬ＋１（加算）とする。ここで、ＳＴおよびＤＵＡＬの値の範囲は０から１２００（処理可能な最大値であり、適当な値でよい）の間の実数とする。ただし、これに限定されず、ステレオ特徴累積部２０６は、適当な時間間隔で、ステレオの度数をステレオの特徴が検出されたとき増加させ二音声の特徴が検出されたとき減少させ、二音声特徴累積部２０７は、二音声の度数を二音声の特徴が検出されたとき増加させステレオの特徴が検出されたとき減少させればよい。
【００３６】
なお、無音検出部２０２においても、音声が連続して無音（量子化雑音レベル相当）になる度数ＳＬを周期Ｔ毎に計数している。
【００３７】
比較判定部２０８は、次のようにして時間軸処理・比較判定を行う。
無音検出部２０２が１０Ｔ以上の無音（無音の度数ＳＬが１０以上）を検出するとモノラル判定に切り替える（デフォルト）。この時点で、比較判定を停止していた場合（後述）はこれを再開する。
【００３８】
ステレオ、二音声の度数を監視し、ＳＴ≧１０ならばステレオ、さらにＤＵＡＬ≧１０ならば二音声と判定する。両方の条件が同時に満足されるときは二音声を優先する。
二音声と判定するかまたは、ＳＴが６００に達したら、比較判定を停止する。
【００３９】
ただし、これに限定されず、比較判定部２０８は、無音検出部２０２が無音を検出するとモノラルと判定し、ステレオ特徴累積部２０６のステレオの度数と二音声特徴累積部２０７の二音声の度数をしきい値と比較して、ステレオの度数がしきい値より大きければステレオと判定し、二音声の度数がしきい値より大きければ二音声と判定し、両者が同時に満足されれば二音声と判定すればよい。
【００４０】
以上のように、音声モード検出装置２００は、左右（主副）の相互相関の特徴を用いて、音声モードを検出するが、相互相関係数、音量、及び周波数スペクトルによるステレオ・二音声特徴検出の原理は次のとおりである。
モノラルの特徴はＬ、Ｒの音声の相互相関が１である。上記実施例では、１に近いＡ＝０．９９９を用いて、Ａ≦Ｃの場合にモノラルを検出する。
ステレオの特徴はＬ、Ｒの音声の相互相関が１未満である。その理由はＬ、Ｒの音は同一音源からの音であっても位相差（時間差）や音量差があり、相互相関は１未満となるからである。上記実施例では、１に近いＡ＝０．９９９の場合でなおかつ後述の二音声と検出しないときにステレオを検出する。
二音声の特徴は主、副の音声は無相関（相互相関係数が０近傍）である。その理由は主、副の音は基本的に異なる音源からの音で、一般に相互相関はないからである。上記実施例では、相互相関係数が０の近傍の時に最大となる評価値Ｅ（音量重み付け逆相関係数）を導入し、それがしきい値を上回るときに二音声を検出する。
【００４１】
以上の特徴検出手法により、放送の音声モードを検出することができる。ここでは、より検出精度を上げるため、例外音への対処を行い、誤検出の抑止と、モード遷移の安定化を図った。
【００４２】
図３は例外音の存在を示す図である。３０１は相互相関係数の軸であり、３０２はＬ、Ｒ間の周波数スペクトルの差の軸であり、３０３は音量の軸である。図３は３次元の図を平面上に記載しているのでわかりにくいが、楕円に見える３１１、３１２、３１３、３１４は実際には３次元の楕円体である。３１１の楕円体はステレオを示している。３１２の楕円体は二音声を示しており、相互相関係数およびスペクトルの差は０に近く、長軸が音量方向に伸びた楕円体である。３１３はモノラルを示しており、相互相関係数は１に近く、スペクトルの差は０に近く、長軸が音量方向に伸びた楕円体である。３１４は無音を示しており、スペクトルの差および音量が０に近く、長軸が相互相関係数の方向に伸びた楕円体である。
【００４３】
例外（１）：９０度位相差の単音や完全に片ｃｈに定位した音は相互相関係数は０となる。この場合、ステレオを二音声と誤検出する（ワンポイントステレオ集音による自然音等）。
例外（２）：２ヶ国語で、主副に効果音・背景音など同一音が振り分けられていると相互相関係数は０にならない。この場合は、二音声をステレオと誤検出する（２ケ国語ニュース等）。
例外（３）：マルチマイク集音でセンターに定位された音は相互相関係数が１となる。この場合は、ステレオをモノラルと誤検出する（ステレオ番組中のトーク・アナウンス等）。
これらは誤検出やモード遷移不安定の原因になるので、以下のようにして誤検出の抑止とモード遷移の安定化を図る。
【００４４】
［誤検出の抑止］
例外（１）に対して、ステレオで９０度位相差の音（相互相関係数０）と二音声の識別のため、周波数スペクトル分布が一定以上異なる場合を二音声とする（スペクトル差分法）。ステレオの場合、同一音源で位相差によって相互相関係数が０であっても、スペクトル分布は同一になる性質を利用する。
【００４５】
例外（２）に対して、左右間の相互相関の低い効果音・背景音での誤検出抑止のため、相互相関係数を音量で重み付けし、相関が低くても音量が低い場合は二音声を検出しない（音量重み付け逆相関係数法）。二音声時は、相関０で一定以上のレベルの音が必ず存在する演出上の特徴を利用する。
【００４６】
以上を一般的に述べれば、第１の音声信号と第２の音声信号の周波数スペクトルの差分があるしきい値以上異なる場合に二音声とし、相互相関係数があるしきい値以下でかつ第１、第２の音声信号の音量があるしきい値以下である場合に二音声としないということになる。
【００４７】
［モード遷移の安定化］
例外（３）のステレオ・モノラル識別への対処：一定の頻度（誤検出以外）でステレオの特徴を検出した場合は、その番組をモノラルとしない（ステレオ固定法）。
例外（１）のステレオ・二音声識別への対処：一定の頻度（誤検出以外）で二音声の特徴を検出した場合は、その番組をステレオ（あるいはモノラル）としない（二音声固定法）。
【００４８】
以上を一般的に述べれば、ある頻度以上でステレオの特徴を検出した場合はモノラルとせず、ある頻度以上で二音声の特徴を検出した場合はステレオとしないということになる。
番組の単位の検出は無音部により行う。
【００４９】
以上の対処を盛り込んだアルゴリズムを図４〜６に示す。
図４は、音声モード判定アルゴリズムを示す図である。このアルゴリズムは、図２に示した比較判定部２０８において実行する比較判定処理に相当する。０はモノラル、１はステレオ、２は二音声を表す。ステレオ、二音声の度数をそれぞれＳＴ、ＤＵＡＬとし、ＳＬは無音の度数を示す。図に示す不等式成立時に状態が遷移する。ＳＴ、ＳＬ、ＤＵＡＬの値は図５に示す処理により決定される。
【００５０】
スタートからモノラル（０）に遷移する。
モノラル（０）に遷移後、ＳＴが１０を超えると、ステレオ（１）に遷移する。
ステレオ（１）に遷移後、ＳＴが６００を超えると、ステレオ固定（１固定）に遷移し、ステレオ固定（１固定）に遷移後、ＳＬが１０を超えるとモノラル（０）に戻る。
ステレオ（１）に遷移後、ＤＵＡＬが１０を超えると、二音声固定（２固定）に遷移し、二音声固定（２固定）に遷移後、ＳＬが１０を超えるとモノラル（０）に戻る。
ステレオ（１）に遷移後、ＳＬが１０を超えるとモノラル（０）に戻る。
【００５１】
図５は、ＳＴ、ＳＬ、ＤＵＡＬの値に入力音声の性質を反映する処理を示す図である。以下の処理は、図２に示した特徴抽出部２０４、しきい値２０５、ステレオ特徴累積部２０６及び二音声特徴累積部２０７において実行する処理である。
Ｃは相互相関係数、Ｅは音量重み付け逆相関係数、ＦはＬ、Ｒ間スペクトル差分である。これらは図６に示すとおりである。
【００５２】
ステップ５０１は音声入力であり、１０２４サンプル（２３ｍｓ）ごとに処理される。
ステップ５０２で、相互相関係数、Ｌ、Ｒレベル、スペクトルを取得する。
ステップ５０３で、Ｌ、Ｒレベル＜−８０ｄＢＦｓの判断を行う。ステップ５０３の判断でＹＥＳの場合は、ステップ５０４でＳＬ（無音の時間）を１加算し、終了する。
ステップ５０３の判断でＮＯの場合は、ステップ５０６でＣ＞０．９９９の判断を行う。ステップ５０６の判断でＹＥＳの場合は、ステップ５０７でＤＵＡＬ（二音声の度数）を半減し、終了する。
ステップ５０６の判断でＮＯの場合は、ステップ５０８でＣ＞０．０３、Ｆ＞０．０５の判断を行う。ステップ５０８の判断でＹＥＳの場合は、ステップ５０９でＤＵＡＬ（二音声の度数）を１加算し、ＳＴ（ステレオの度数）を１％減じて、終了する。
ステップ５０８の判断でＮＯの場合は、ＳＴ（ステレオの度数）を１加算し、ＤＵＡＬ（二音声の度数）を１％減じて、終了する。
【００５３】
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００５４】
【図１】従来技術の再送信装置を示す図である。
【図２】本発明の実施例の音声モード検出装置の構成を示す図である。
【図３】例外音の存在を示す図である
【図４】音声モード判定アルゴリズムを示す図である。
【図５】ＳＴ、ＳＬ、ＤＵＡＬの値に入力音声の性質を反映する処理を示す図である。
【図６】相互相関係数Ｃ、音量重み付け逆相関係数Ｃ、Ｌ、Ｒ間スペクトル差分Ｆを示す図である。
【符号の説明】
【００５５】
１０１…受信部（市販の民生用のチューナー）、１０２…再変調部、２００…音声モード検出装置、２０１…入力部、２０２…無音検出部、２０３…演算部２０３、２０４…特徴抽出部、２０５…しきい値、２０６…ステレオ特徴累積部、２０７…二音声特徴累積部、２０８…比較判定部、３０１…相互相関係数の軸、３０２…Ｌ、Ｒ間の周波数スペクトルの差の軸、３０３…音量の軸、３１１…ステレオを示す楕円体、３１２…二音声を示す楕円体、３１３…モノラルを示す楕円体、３１４…無音を示す楕円体
【図１】
2009207039.tif 000005
【図２】
2009207039.tif 000006
【図３】
2009207039.tif 000007
【図４】
2009207039.tif 000008
【図５】
2009207039.tif 000009
【図６】
2009207039.tif 000010